(57)【要約】【課題】  本発明は、ディスク装置の小型化、薄型化及び軽量化を達成するとともに、簡単な構成でディスクの２重挿入を確実に防止して、ディスク同士の接触のない信頼性の高いディスク装置を提供することを目的としてなされたものである。【解決手段】  本発明のディスク装置において、筐体に固着された固定フレームのディスク挿入排出用開口の近傍にディスクガイドを回動可能に配設して、当該ディスクガイドはディスク状記録媒体の挿入動作及び排出動作を案内するとともにディスク挿入排出用開口の少なくとも一部を閉鎖可能に構成されている。【選択図】図４
2005122860.tif 000002
【特許請求の範囲】
【請求項１】
ディスク状記録媒体が挿入及び排出されるディスク挿入排出用開口を有する固定フレーム、
前記固定フレームのディスク挿入排出用開口の近傍に回動可能に配設され、ディスク状記録媒体の挿入動作及び排出動作を案内するとともに前記ディスク挿入排出用開口の少なくとも一部を閉鎖可能に構成されたディスクガイド、及び
前記固定フレームに弾性部材を介して前記固定フレームの内部にフローティング状態で配置され、ディスク状記録媒体の記録及び／又は再生を行う機能を有するフローティングユニットを具備することを特徴とするディスク装置。
【請求項２】
フローティングユニットは、ディスク状記録媒体をディスクガイドに押し付けて自転し、当該ディスク状記録媒体を所望の位置に搬送するローラアームを有するディスク搬送部を有しており、前記ディスク搬送部がディスク状記録媒体を記録再生位置に搬送したとき、前記ローラアームが回動若しくは移動して、ディスクガイドによりディスク挿入排出用開口の少なくとも一部を閉鎖するよう構成された請求項１に記載のディスク装置。
【請求項３】
フローティングユニットは、ディスク状記録媒体をディスクガイドに押し付けて自転し、当該ディスク状記録媒体を所望の位置に搬送するローラアームを持つディスク搬送部を有しており、前記ディスク搬送部がディスク状記録媒体を記録再生位置に搬送したとき、前記ディスクガイドの一部がディスク状記録媒体の移動軌跡と交差する方向に移動し、ディスクガイドによりディスク挿入排出用開口の少なくとも一部が閉鎖されるよう構成された請求項１に記載のディスク装置。
【請求項４】
固定フレームが上フレームと下フレームで構成され、ディスクガイドが前記上フレームの裏面に所定角度回動可能に懸装された請求項１に記載のディスク装置。
【請求項５】
ディスクガイドが２段に折れ曲がる構成であり、ディスク状記録媒体の挿入動作及び排出動作を案内するとき収納されるよう構成された請求項１に記載のディスク装置。
【請求項６】
フローティングユニットにおけるディスク挿入排出用開口を形成する位置に実質的に円弧状に突出したチンガードを有し、ディスクが記録再生位置にあるときディスクガイドが前記チンガードと当接するよう構成された請求項１に記載のディスク装置。
【請求項７】
ディスクガイドのディスク挿入排出用開口を閉鎖する部分が凹部形状を有している請求項１に記載のディスク装置。
【発明の詳細な説明】
【技術分野】
【０００１】
本発明は、ＣＤ、ＤＶＤ等のディスク状記録媒体の記録及び/又は再生を行うディスク装置に関し、特にディスク装置におけるディスク状記録媒体のディスクローディング機構に関する。
【背景技術】
【０００２】
近年、ＣＤ、ＤＶＤ等のディスク状記録媒体（以下、ディスクと略称する）を記録及び/又は再生するディスク装置は、小型化、薄型化及び軽量化されて携帯用又は車載用として使用されている。このようなディスク装置において、装置外部からの振動が記録再生中のディスクに対して直接的に伝わらないよう、ターンテーブルやスピンドルモータが実装されたブロックは、振動吸収部材により固定側フレームに保持されたフローティング構造となっている。このようなフローティング構造のブロック（フローティングブロック）には、挿入されたディスクを記録再生位置に搬送し記録再生位置からディスクを排出するディスク搬送駆動機構、記録再生位置のディスクを固定するディスク挟着機構、及び記録再生位置のディスクを記録再生するためのディスク記録再生機構等の多くの機構が設けられている（例えば、特許文献１参照。）。
【０００３】
特許文献１のディスク装置において、ディスクをディスク挿入口より挿入すると、ディスクの周縁部にガイドピンが摺動してディスクを案内するとともに、ガイドピンと連動するマイクロスイッチがディスク検知信号を制御回路に出力するよう構成されている。このディスク検知信号が制御回路に入力されることにより、正逆回転モータが駆動され、ディスクの表面に当接している移送ローラが回転を始め、ディスクは搬送される。このとき、フローティングブロックに設けられているディスク挟着機構のクランパは持ち上がっており、ターンテーブルの上方はディスクの搬送空間として確保されている。また、このときフローティングブロックは、ガイドピンと連動したロック手段により固定側フレームに固定されてロック状態となっている。ターンテーブル上に案内されたディスクは、コイルバネの付勢力で回動したクランパにより挟着されるとともにディスクを挟着するフローティングブロックのロック手段は係合状態が外れる。この結果、フローティングフレームは、ロック手段から完全に解放され、フローティングブロックは振動吸収部材のみに支持されたフローティング状態となり、ディスクは記録再生可能な状態となる。
【０００４】
上記のように構成されたディスク装置は、ディスクが直接装置内に挿入されて、そのディスクが装置内を搬送されて記録再生位置に配置されるスロットローディング方式である。このようなスロットローディング方式のディスク装置は小型化、薄型化及び軽量化を図ることが容易であるため、携帯用又は車載用のディスク装置として一般的に用いられていた。
この他の方式としては、トレイにディスクを載置してそのトレイを装置内を搬送して記録再生位置に配置するトレイローディング方式がある。このようなトレイローディング方式のディスク装置においては、ディスクが記録再生位置にあるときユーザが誤ってさらにディスクを２重に装着しようとしても、トレイを排出してディスクを載置する方式であるため、２枚のディスクが同時に挿入されることはなく、また、記録再生中のディスクに対してユーザが触れたり、他のディスクが接触することもなく好ましい方式であった。しかし、トレイローディング方式のディスク装置は、ディスクを載置したトレイを駆動制御する構成であるため、小型化、薄型化及び軽量化を図る上で好ましい方式ではなかった。
したがって、携帯用又は車載用としては、小型化、薄型化及び軽量化が可能で利便性が良いスロットローディング方式のディスク装置が一般的に用いられていた。
【特許文献１】特開平０７−３２０３７１号公報（第４頁、第１２図）
【発明の開示】
【発明が解決しようとする課題】
【０００５】
上記のように構成された従来のスロットローディング方式のディスク装置においては、携帯用又は車載用として小型化、薄型化及び軽量化を達成すべく各構成部品が小型に構成されているが、スロットローディング方式であるため、ディスクが記録再生位置にあるときユーザが誤ってさらにディスクを挿入することを防止する機構が必要であった。このようなディスクの２重挿入防止機構としては、ディスクが記録再生位置にあるときディスク挿入口に２重挿入防止ピンを配置するよう構成した従来例があった。
しかし、ディスクが記録再生位置にあるときに２重挿入防止ピンを設ける構成は、機構が複雑になり、小型化、薄型化及び軽量化に逆行するものであった。また、ディスクを直接ディスク挿入口に挿入する従来の方式の場合には、記録再生位置のディスクの記録面がディスク挿入口から見える位置にあり、ユーザが誤って２枚目のディスクをディスク挿入口に挿入しようとした場合には、２重挿入防止ピンにより挿入は防止されるが、互いのディスクが縁部分若しくは縁周辺部分が接触する場合があった。このように、互いのディスクの縁部分若しくは縁周辺部分が接触することにより記録面が損傷するおそれがあり好ましいものではなかった。
本発明は、ディスク装置の小型化、薄型化及び軽量化を達成するとともに、簡単な構成でディスクの２重挿入を確実に防止して、ディスク同士の接触のない信頼性の高いディスク装置を提供することを目的としてなされたものである。
【課題を解決するための手段】
【０００６】
本発明のディスク装置は、請求項１に記載したように、装置外観となる筐体に固着され、ディスク状記録媒体が挿入及び排出されるディスク挿入排出用開口を有する固定フレーム、
前記固定フレームのディスク挿入排出用開口の近傍に回動可能に配設され、ディスク状記録媒体の挿入動作及び排出動作を案内するとともに前記ディスク挿入排出用開口の少なくとも一部を閉鎖可能に構成されたディスクガイド、及び
前記固定フレームに粘弾性部材を介して前記固定フレームの内部にフローティング状態で配置され、ディスク状記録媒体の記録及び／又は再生を行う機能を有するフローティングユニットを具備する。このように構成された本発明のディスク装置は、ディスク装置の小型化、薄型化及び軽量化を達成するとともに、簡単な構成でディスクの２重挿入を確実に防止して、ディスク同士の接触のない信頼性の高いディスク装置を提供することができる。
【０００７】
また、本発明のディスク装置は、請求項２に記載したように、請求項１のフローティングユニットは、ディスク状記録媒体をディスクガイドに押し付けて自転し、当該ディスク状記録媒体を所望の位置に搬送するローラアームを有するディスク搬送部を有しており、前記ディスク搬送部がディスク状記録媒体を記録再生位置に搬送したとき、前記ローラアームが回動若しくは移動して、ディスクガイドによりディスク挿入排出用開口の少なくとも一部を閉鎖するよう構成されている。このように構成された本発明のディスク装置は、簡単な構成でディスクの２重挿入を確実に防止して、ディスク同士の接触のない信頼性の高いディスク装置を提供することができる。
【０００８】
また、本発明のディスク装置は、請求項３に記載したように、請求項１のフローティングユニットは、ディスク状記録媒体をディスクガイドに押し付けて自転し、当該ディスク状記録媒体を所望の位置に搬送するローラアームを持つディスク搬送部を有しており、前記ディスク搬送部がディスク状記録媒体を記録再生位置に搬送したとき、前記ディスクガイドの一部がディスク状記録媒体の移動軌跡と交差する方向に移動し、ディスクガイドによりディスク挿入排出用開口の少なくとも一部が閉鎖されるよう構成されている。このように構成された本発明のディスク装置は、ディスクの２重挿入を確実に防止して、ディスク同士の接触のない信頼性の高いディスク装置を提供することができる。
【０００９】
また、本発明のディスク装置は、請求項４に記載したように、請求項１の固定フレームが上フレームと下フレームで構成され、ディスクガイドが前記上フレームの裏面に所定角度回動可能に懸装されている。このように構成された本発明のディスク装置は、装置の小型化、薄型化及び軽量化を達成した装置を容易に構成することができる。
【００１０】
また、本発明のディスク装置は、請求項５に記載したように、請求項１のディスクガイドが２段に折れ曲がる構成であり、ディスク状記録媒体の挿入動作及び排出動作を案内するとき収納されるよう構成されている。このように構成された本発明のディスク装置は、ディスクの２重挿入を確実に防止して、ディスク同士の接触のない信頼性の高いディスク装置を提供することができる。
【００１１】
また、本発明のディスク装置は、請求項６に記載したように、請求項１のフローティングユニットにおけるディスク挿入排出用開口を形成する位置に実質的に円弧状に突出したチンガードを有し、ディスクが記録再生位置にあるときディスクガイドが前記チンガードと当接するよう構成されている。このように構成された本発明のディスク装置は、簡単な構成でディスクの２重挿入を確実に防止して、ディスク同士の接触のない信頼性の高いディスク装置を提供することができる。
【００１２】
また、本発明のディスク装置は、請求項７に記載したように、請求項１のディスクガイドのディスク挿入排出用開口を閉鎖する部分が凹部形状を有している。このように構成された本発明のディスク装置は、簡単な構成でディスクの２重挿入を確実に防止して、ディスク同士の接触のない信頼性の高いディスク装置を提供することができる。
【発明の効果】
【００１３】
本発明によれば、ディスク装置の小型化、薄型化及び軽量化を達成するとともに、簡単な構成でディスクの２重挿入を確実に防止して、ディスク同士が接触することのない信頼性の高いディスク装置を提供することが可能となる。
【発明を実施するための最良の形態】
【００１４】
以下、本発明に係るディスク装置の好適な実施の形態について添付の図面を参照して説明する。
【００１５】
《実施の形態１》
図１は実施の形態１のディスク装置における外観となる筐体を取り除いた状態を示す斜視図である。図２は図１に示したディスク装置に対してディスク状記録媒体であるディスクが挿入された状態を示す斜視図である。図３は図１に示したディスク装置の内部構成を示す分解斜視図である。
図１から図３に示す実施の形態１のディスク装置は、ディスク状記録媒体（以下、ディスクと略称する）１０１、例えば、ＣＤ、ＤＶＤ等を記録及び再生する機能を有しており、ディスク１０１がその直径方向に挿入されて記録再生位置に装着され、当該ディスク１０１の記録又は再生が行われる。
【００１６】
実施の形態１のディスク装置において、外観となる筐体に固定された固定側フレームは上フレーム１と下フレーム９に２分割されている。固定側フレームの内部には粘弾性体で形成された複数のダンパーバネ９０により支持され、フローティング状態のフローティングユニット１０が設けられている。ただし、フローティングユニット１０のフローティング状態は、ディスクの記録再生状態のときであり、その他の状態のときにはフローティングユニット１０が固定側フレームにロック機構により固定されるよう構成されている。このロック機構の詳細については後述する。
【００１７】
図３の分解斜視図に示すように、フローティングユニット１０には挿入されたディスク１０１をターンテーブル７０との間で挟着するクランパ部３と、ディスク１０１を搬送するディスク搬送部４と、このディスク搬送部４の駆動源であるモータ５０等を有するディスク搬送駆動部５と、ディスク１０１を所望の記録再生位置に配置するトラバースシャーシ６と、ディスク１０１を回転駆動してデータの記録又は再生を行うディスク記録再生駆動部７と、トラバースシャーシ６の裏面（ディスク載置面と反対の面）に配設されフローティングユニット１０内の各機構を駆動制御する電気回路を有するプリント基板８とが設けられている。
【００１８】
図４は固定側フレームの上フレーム１を示す分解斜視図である。図４に示すように、上フレーム１の裏面には、２箇所で回動可能に懸装されたディスクガイド２が設けられている。ディスクガイド２の装置奥側に形成された２つの突起２ａ、２ａが上フレーム１に形成された係合孔１ａ，１ａのそれぞれに係合して、ディスクガイド２は上フレーム１に対してその係合部分を中心に装置前面側が所定角度回動するよう構成されている。
ディスクガイド２はその両側に爪２ｂが形成されており、この爪２ｂがディスク排出完了時（ディスクローディング完了時）に後述するローラアーム４０と係合するよう構成されている。ディスクガイド２の前面側は凹面状の凹面部２ｃが形成されており、この凹面部２ｃの近傍には複数のリブが形成された補強部２ｅとなっている。また、ディスクガイド２の中央部分には、細長い円弧状の孔２ｄが形成されており、２重挿入されようとしたディスク１０１と当接してそれ以上の挿入を防止し、ディスクガイド２の軽量化が図られている。
【００１９】
図５は記録再生位置のディスク１０１を挟着するためのクランパ部３を示す斜視図である。図５に示すように、クランパ部３は挿入されたディスク１０１を押圧するクランパ３０と、クランパ３０を遊動可能に保持するクランパ保持部３１と、クランパ保持部３１をクランパアーム３２を介してトラバースシャーシ６に固定するクランパベース３３とを有している。クランパベース３３とクランパ保持部３１とを機械的に接続するクランパアーム３２は、弾性部材、例えば薄い金属板で構成されており、クランパ３０によるディスク挟着時の押圧力を規制している。クランパ３０はその中心部分においてクランパ保持部３１により回転可能な係合状態で保持されている。
【００２０】
上記のように構成されたクランパ部３のクランパ３０は、ディスク１０１が挿入されて搬送されているとき、ターンテーブル７０の上方、即ちターンテーブル７０から離間する位置に配置されて、上フレーム１に当接している。クランパ部３はクランパベース３３がフローティングユニット１０のトラバースシャーシ６に軸止されており、その軸に設けた付勢手段（図示省略）、例えばバネやクランク機構やカム機構によりクランパ３０がターンテーブル７０の方向に常に付勢されている。しかし、ディスク１０１が記録再生位置以外のときには、クランパ３０は係止手段により上フレーム１に当接して、クランパ３０がターンテーブル７０から離間した位置に配置される。そして、挿入されたディスク１０１がターンテーブル７０上の位置（記録再生位置）に搬送されたとき、前記係止手段が外れてバネの付勢力やクランク機構やカム機構によりクランパ３０がディスク１０１を間にしてターンテーブル７０を押圧する。この結果、ディスク１０１はターンテーブル７０上に確実に配置され記録再生可能な状態となる。
【００２１】
図６は、実施の形態１のディスク装置のフローティングユニット１０における、ディスク搬送部４、ディスク搬送駆動部５、及びトラバースシャーシ６を示す斜視図である。
ディスク搬送部４は、装置内に挿入されたディスク１０１をディスクガイド２に押圧しつつ自転することにより装置内の所定方向に搬送する搬送ローラ４０ａを持つローラアーム４０を有している。
上記のように、ローラアーム４０は搬送ローラ４０ａを有しており、この搬送ローラ４０ａの形状は、その中心部分の直径が小さく両側へ行くほど直径が太くなる２つの円錐形で構成されている。搬送ローラ４０ａにおけるディスク１０１との接触部分はゴム材で構成されている。このように構成されたローラアーム４０は、ディスク搬送時において搬送ローラ４０ａに対してディスク１０１の外周縁のみが接触し、ディスク記録面が保護されている。ローラアーム４０の搬送ローラ４０ａは、ディスク１０１が記録再生位置以外の時、バネの付勢力によりディスクガイド２に押し付けられており、ディスク搬送が完了してディスク１０１が記録再生位置に到達したとき、搬送ローラ４０ａは下方（上フレーム１から離間する方向）に移動するよう構成されている。
【００２２】
図６に示すディスク搬送駆動部５は、ディスク搬送時（ディスクローディング時とディスクアンローディング時）にローラアーム４０の搬送ローラ４０ａを回転駆動する前述のモータ５０と、ディスク挿入前及びディスク排出完了時（ディスクアンローディング完了時）にトラバースシャーシ６を固定側フレームに固定する等の機能を持つ制御スライダ５１と、ディスクローディングが完了したときのディスク１０１の記録再生位置の到達を検知するトリガーレバー５２と、モータ５０の回転をローラアーム４０や制御スライダ５１等に伝動するギヤ列５３と有している。なお、図６においては、トリガーレバー５２がトラバースシャーシ６内の後方位置に配置して示したが、トリガーレバー５２の一端は制御スライダ５１の後方端部に接触するよう構成されており、トリガーレバー５２の移動により制御スライダ５１が連動するよう構成されている。トリガーレバー５２の他端であるトラバースシャーシ６内の端部は、ディスク１０１が記録再生位置の上方に到達したときディスク１０１の縁部と当接する位置に配置されている。
上記のように構成されたディスク搬送部４とディスク搬送駆動部５とが装着されたトラバースシャーシ６には、ディスク記録再生駆動部７とプリント基板８が取り付けられている。このトラバースシャーシ６の前面には、ディスク挿入排出口１１の近傍に配置されディスク１０１が装置内に挿入されたことを検出するディスク検出レバー４１と、ディスク検出レバー４１の後方に配置され、ディスク１０１の排出を検出するイジェクト検出レバー４２が設けられている。ディスク挿入検知レバー４１とイジェクト検出レバー４２は、バネの付勢力により常に上方向へ付勢されており、ディスク１０１が挿入されていないとき、上方の所定位置に配置されている。
【００２３】
図６に示すように、ディスク検出レバー４１は、ディスク挿入排出口１１の両側近傍に配設されており、両側に広がりその両端が少し持ち上がった羽根形状を有している。ディスク１０１がディスク挿入排出口１１から挿入されたとき、ディスク１０１の外縁部分が両側に配置されたディスク検出レバー４１のいずれか一方若しくはそれぞれの検出面（図６における上面）４１ａを押し下げて、検出レバー４１に形成された突起４１ｂがマイクロスイッチである検出スイッチ８１を押圧する。この検出スイッチ８１が押圧されることにより、正逆回転するモータ５０が所望の方向への回転を始動し、ギヤ列５３を介してローラアーム４０の搬送ローラ４０ａを回転駆動する。この結果、挿入されたディスク１０１はローラアーム４０の搬送ローラ４０ａの回転駆動によりトラバースシャーシ６における記録再生位置に搬送される。
【００２４】
なお、ディスク１０１の排出動作時においては、モータ５０が挿入動作時と逆の方向に回転してディスク１０１を記録再生位置からディスク挿入排出口１１へ搬送ローラ４０ａの回転駆動により搬送される。ディスク１０１がディスク挿入排出口１１から排出されたことはイジェクト検出レバー４２により検出される。イジェクト検出レバー４２はディスク検出レバー４１と同様の形状を有しており、上面が検出面４２ａとなっている。この検出面４２ａがディスク１０１の外周面との接触から外れることによりディスク１０１の排出動作の完了を検知する。
【００２５】
図７はディスク記録再生駆動部７、プリント基板８、及び下フレーム９を示す分解斜視図である。ディスク１０１が記録再生位置にあるとき下フレーム９はフローティングユニット１０をダンパーバネ９０によりフローティング状態で保持している。
図７に示すように、ディスク記録再生駆動部７はディスク１０１を載置して回転駆動するターンテーブル７０、このターンテーブル７０を回転するスピンドルモータ７１、ディスク１０１の記録再生を行う光ピック部７２、及び光ピック部７２をディスク１０１の径方向に駆動する光ピック駆動モータ７３を有している。プリント基板８はトラバースシャーシ６の裏面に取りつけられており、トラバースシャーシ６に設けられた各機構を駆動制御する電気回路が形成されている。
【００２６】
上記のように構成されたトラバースシャーシ６は、筐体に取り付けられた固定側フレームである下フレーム９により粘弾性機能を有するダンパーバネ９０により保持されている。ディスク挿入前の状態において、トラバースシャーシ６は制御スライダ５１とローラアーム４０のディスクガイド２への押し付け動作により上フレーム１と下フレーム９によるフレーム内部において下方位置にある。この状態において、ディスク１０１が挿入されると、ディスク１０１がローラアーム４０とディスクガイド２との間に入り記録再生位置に搬送される。ディスク１０１が記録再生位置に到達すると、トラバースシャーシ６はフローティング状態となり上昇して、ディスク１０１はターンテーブル７０とクランパ３０により挟着される。
次に、ディスク１０１の排出動作においては、ローラアーム４０のディスクガイド２への押し付け動作と制御スライダ５１により、ダンパーバネ９０が圧縮されてトラバースシャーシ６が下降して固定側フレーム内部の下方位置となる。
【００２７】
前述のように、実施の形態１のディスク装置において、ディスク１０１がディスクローディング完了時、すなわち記録再生位置にあるとき、ローラアーム４０の搬送ローラ４０ａは上フレーム１から離間する方向（下方向）に移動する。ディスク１０１が記録再生装置に配置されたとき、ディスク１０１の縁部がトリガーレバー５２を押圧する。トリガーレバー５２の一端がディスク１０１により押圧されると、トリガーレバー５２の他端が制御スライダ５１を装置前方へ摺動させる（図６参照）。制御スライダ５１が装置前方へ摺動すると、ローラ制御アーム５５がローラアーム４０を下方の所定位置まで回動される。この結果、ローラアーム４０の搬送ローラ４０ａが接触しているガイドプレート２は上フレーム１から垂れ下がった状態となり、トラバースシャーシ６のチンガード６１に当接して、ディスク挿入排出口１１を閉鎖状態とする。これにより、挿入されたディスク１０１が記録再生位置にあるとき、ディスク挿入排出口１１からは２枚目のディスク１０１の挿入が確実に禁止される。
【００２８】
また、トリガーレバー５２の一端がディスク１０１に押圧され、制御スライダ５１が装置前方へ摺動すると、制御スライダ５１が上フレーム１の裏面を押圧する当接状態が外れてフローティングユニット１０をロック状態から解放し、フローティング状態とする。このようにディスク１０１が記録再生位置に配置されたとき、フローティングユニット１０はフローティング状態となり記録再生可能な状態となる。
フローティング状態のフローティングユニット１０の上下方向（装置の幅方向）のレベル位置は、ローラアーム４０の搬送ローラ４０ａがディスク１０１をガイドプレート２に押し付けて搬送する搬送動作（ローディング動作）のときのレベル位置より上方となっている。これは、フローティングユニット１０に設けたローラアーム４０が固定側フレーム（上フレーム１）に設けたガイドプレート２に対して押し付け動作を行うためである。したがって、フローティングユニット１０はディスク搬送時には下方に位置してディスク搬送空間を確保し、ディスクが記録再生位置に配置されたとき上昇してディスクを確実に挟着するよう構成されている。
【００２９】
次に、記録再生位置のディスク１０１に対する排出指令が生じたとき、ローラアーム４０はガイドプレート２とともにローラ制御アーム５５により上方へ回動される。このとき、ローラアーム４０の搬送ローラ４０ａはディスク１０１を排出する方向への自転動作を開始し、排出すべきディスク１０１をガイドプレート２へ押し付けつつ排出する。またこのとき、制御スライダ５１は装置後方へ摺動して、制御スライダ５１と固定側フレームである上フレーム１とが当接状態となり、制御スライダ５１が設けられたフローティングユニット１０をロック状態とする。このロック状態において、フローティングユニット１０と下フレーム９との間のダンパーバネ９０は圧縮された状態である。
ディスク排出検出レバー４２がディスク１０１の排出を検知したあと、ディスク１０１をユーザーにより取り出されると、ローラアーム４０はバネの付勢力により上フレーム１の方向へ上昇し、上フレーム１に当接しているディスクガイド２に形成された爪２ｂとローラアーム４０の係合部４０ｂが係合する。図８はディスクガイド２に形成された爪２ｂとローラアーム４０の係合部４０ｂとが係合した状態を示す斜視図である。図９は装置前面から見た右側におけるディスクガイド２に形成された爪２ｂとローラアーム４０の係合部４０ｂとが係合した状態を示す斜視図である。
【００３０】
実施の形態１のディスク装置においては、ディスク１０１の排出が完了すると、上記のように、ローラアーム４０がバネの付勢力により上フレーム１の方向へ上昇し、ディスクガイド２の爪２ｂとローラアーム４０の係合部４０ｂが係合するとともに、ローラアーム４０に形成された係合爪４０ｃが固定側フレームの下フレーム９に形成された凹部９ａと係合してその回動が規制されている。図１０は実施の形態１のディスク装置の裏面の一部を拡大して示した斜視図であり、ローラアーム４０の係合爪４０ｃと下フレーム９の凹部９ａとの係合動作を示す部分図である。図１０の（ａ）は記録再生状態のときのローラアーム４０の係合爪４０ｃと下フレーム９の凹部９ａとを示し、（ｂ）は排出完了時のローラアーム４０の係合爪４０ｃと下フレーム９の凹部９ａとの係合状態を示している。
【００３１】
以上のように、実施の形態１のディスク装置において、ディスク１０１の排出が完了した後において、制御スライダ５１と上フレーム１とが当接状態になるとともに、ディスクガイド２の爪２ｂとローラアーム４０の係合部４０ｂが係合（図８及び図９参照）し、ローラアーム４０の係合爪４０ｃと下フレーム９の凹部９ａが係合（図１０の（ｂ））する。この結果、実施の形態１のディスク装置は、ディスク１０１の排出完了後においてはフローティングユニット１０が確実に固定側フレームに固定された状態となる。
【００３２】
図１１は実施の形態１のディスク装置におけるディスク挿入排出口１１の近傍を拡大して示した斜視図である。図１１の（ａ）はディスク１０１が装着されていない状態のディスク装置を示し、図１１の（ｂ）はディスク１０１が装着されたときの状態を示している。
図１１の（ａ）に示すように、ディスク１０１が装着されていないとき、ディスクガイド２が持ち上がった状態であり、ディスク挿入排出口１１が開口状態である。図１１の（ｂ）に示すように、ディスク１０１がローディングが完了し装着されると、ディスクガイド２は回動してその先端が下降し、チンガード６１に当接する。この結果、ディスク挿入排出口１１の一部は閉鎖されてさらなるディスク１０１の挿入が防止される。なお、実施の形態１においては、ディスクガイド２の回動角度が約３度に設定されている。この回動角度は、ディスクガイド２の形状及び上フレーム１との係合位置等により異なるものであり、ディスクガイド２がチンガード６１に当接して、ディスク１０１の２重挿入を防止できる角度であれば問題はない。
【００３３】
実施の形態１のディスク装置において、ディスクガイド２の先端部分に凹面部２ｃが形成されている。これは、ディスク１０１が既に装着されている状態においてユーザが２枚目のディスクを挿入しようとしたとき、ディスク挿入排出口１１を塞いでいるディスクガイド２をユーザが容易に２枚目のディスクにより跳ね上げられないよう構成したものである。
また、実施の形態１のディスク装置においては、装着されたディスク１０１がチンガード６１の内側に配置されているため、記録再生動作中のディスク１０１に対して他のディスクが直接接触できないよう構成されており、特にディスク１０１の記録面への接触は完全に防止されている。
【００３４】
なお、実施の形態１のディスク装置におけるディスクガイド２は平板な１枚の板により構成した例で説明したが、先端部分と本体部分とを有する２段に折れ曲がる構成で、その先端部分が本体部分と重なるように収納される構成のディスクガイドを設けることも可能である。このような構成のディスクガイドは、ディスクを案内しているときは先端部分が本体部分に収納され、ディスクが記録再生位置に配置されディスクガイドが回動して先端が下降したとき、そのときの重力により先端部分が突出してディスク挿入排出口を塞ぐよう構成することも可能である。
【００３５】
本発明のディスク装置は、実施の形態１において詳細に説明したように、装置内のディスク１０１の搬送を案内するガイドプレート２が固定側フレームに設けられており、このガイドプレートが記録再生状態においてディスク１０１の２重挿入を防止する機能を有しており、信頼性の高いディスク装置となる。
また本発明のディスク装置は、ディスク搬送のためのディスクガイド２が固定側フレームである上フレーム１に設けられているため、ディスクガイドがフローティングユニットに設けられた場合に比べて装置の薄型化及び小型化が可能となる。ディスクガイドがフローティングユニットに設けられた場合には、フローティングユニットをフローティング状態とするためにディスクガイドと固定側フレームとの間に保持空間を必要とする。しかし、本発明に係る実施の形態１のディスク装置においては、ディスクガイド２が固定側フレームに設けられておりその間には保持空間を必要としない構成である。また、本発明に係る実施の形態１のディスク装置においては、ディスクガイド２とフローティングユニット１０との間の空間は、ディスクを搬送するための搬送空間であるとともにフローティングユニット１０をフローティング状態で保持するための保持空間となっている。さらに、本発明のディスク装置においては、ディスク搬送時にローラアーム４０がディスクガイド２へ押し付け動作を行うことにより、所望の大きさの搬送空間を形成し、記録再生時にローラアーム４０が回動しクランパ部３が挟着動作を行うことにより、フローティングユニット１０が固定側フレームに対して所望の保持空間を有してフローティング状態となる。以上のように、本発明のディスク装置は小型化、薄型化及び軽量化を達成しつつ所望の搬送空間及び保持空間を確保することが可能となる。
なお、上記の実施の形態においては、記録及び再生が可能なディスク装置について説明したが、本発明はこのような装置に限定されるものではなく、ディスク状記録媒体の記録装置又は再生装置等のディスク装置においても適用可能である。
【産業上の利用可能性】
【００３６】
本発明は、ＣＤ、ＤＶＤ等のディスク状記録媒体の記録又は再生を行う小型のディスク装置に特に有用であり、装置に挿入されたディスクを確実に挟着できる薄型のディスク装置を提供できる。
【図面の簡単な説明】
【００３７】
【図１】本発明に係る実施の形態１のディスク装置における外観筐体を取り除いた状態を示す斜視図である。
【図２】図１に示したディスク装置に対してディスク状記録媒体の挿入途中状態を示す斜視図である。
【図３】図１に示したディスク装置の内部構成を示す斜視図である。
【図４】実施の形態１における上フレーム１を示す分解斜視図である。
【図５】実施の形態１におけるクランパ部３を示す斜視図である。
【図６】実施の形態１のディスク装置におけるフローティングユニット１０の搬送部４、ディスク搬送駆動部５、及びトラバースシャーシ６を示す斜視図である。
【図７】実施の形態１のディスク装置におけるディスク記録再生駆動部７とプリント基板８、及びトラバースシャーシ６をダンパーバネ９０により保持する下フレーム９０を示す分解斜視図である。
【図８】ディスク搬送部４とディスクガイド２との係合関係を示す斜視図である。
【図９】図１１に示したディスク搬送部４における装置前面から見た右側部分を示す斜視図である。
【図１０】実施の形態１のディスク装置の裏面の一部を拡大して示した斜視図であり、ローラアーム４０の係合爪４０ｃと下フレーム９の凹部９ａとの係合動作を示す部分図である。
【図１１】実施の形態１のディスク装置におけるディスク１０１が装着されていない状態を示す拡大斜視図（ａ）、及びディスク１０１が装着されたときの状態を示す拡大斜視図（ｂ）である。
【符号の説明】
【００３８】
１    上フレーム
１ａ  係合孔
２    ディスクガイド
２ａ  突起
２ｂ  爪
２ｃ  凹面部
２ｄ  孔
２ｅ  補強部
３    クランパ部
４    ディスク搬送部
５    ディスク搬送駆動部
６    トラバースシャーシ
７    ディスク記録再生駆動部
８    プリント基板
９    下フレーム
９ａ  凹部
１０    フローティングユニット
１１    ディスク挿入排出口
３０    クランパ
３１    クランパ保持部
３２    クランパアーム
３３    クランパベース
４０    ローラアーム
４０ａ  搬送ローラ
４０ｂ  凹部
４０ｃ  係合爪
４１    ディスク検出レバー
４２    イジェクト検出レバー
５０    モータ
５１    制御スライダ
５２    トリガーレバー
５３    ギヤ列
５５    ローラ制御アーム
６１    チンガイド
７０    ターンテーブル
７１    スピンドルモータ
７２    光ピック部
７３    モータ
８１    検出スイッチ
９０    ダンパーバネ
１０１    ディスク  
【図１】
2005122860.tif 000003
【図２】
2005122860.tif 000004
【図３】
2005122860.tif 000005
【図４】
2005122860.tif 000006
【図５】
2005122860.tif 000007
【図６】
2005122860.tif 000008
【図７】
2005122860.tif 000009
【図８】
2005122860.tif 000010
【図９】
2005122860.tif 000011
【図１０】
2005122860.tif 000012
【図１１】
2005122860.tif 000013